(57)【要約】【課題】元の画像データに近似した画像データを表示することのできる電気泳動表示装置の駆動方法、電気泳動表示装置及び電子機器を提供する。【解決手段】画像データの階調レベルを該階調レベルに対応する補正データに基づいて変更する階調レベル変更ステップ（Ｓ１０５）と、階調レベルが変更された画像データを、該画像データの所定領域ごとに、白色と黒色とを組み合わせたディザリングパターンであって、変更された階調レベルに対応するものに変換するディザリング処理ステップ（Ｓ１０６）と、表示部が有する複数の画素回路について、ディザリングパターンに変換された画像データに基づいて、白色の電気泳動粒子と黒色の電気泳動粒子とを駆動する表示部駆動ステップ（Ｓ１０８）と、を備える。【選択図】図１４
2011221325.tif 000002
【特許請求の範囲】
【請求項１】
第１の色の電気泳動粒子と第２の色の電気泳動粒子とを含む画素を複数有する表示部を備える電気泳動表示装置の駆動方法であって、
画像データの階調レベルを、該階調レベルに対応する補正データに基づいて変更する階調レベル変更ステップと、
階調レベルが変更された前記画像データを、該画像データの所定領域ごとに、前記第１の色と前記第２の色とを組み合わせたディザリングパターンであって、変更された階調レベルに対応するものに変換するディザリング処理ステップと、
前記表示部が有する前記複数の画素について、前記ディザリングパターンに変換された前記画像データに基づいて、前記第１の色の電気泳動粒子と前記第２の色の電気泳動粒子とを駆動する表示部駆動ステップと、を備える
ことを特徴とする電気泳動表示装置の駆動方法。
【請求項２】
前記補正データは、前記第１の色に基づく第１の補正値と、前記第２の色に基づく第２の補正値と、を有する
ことを特徴とする請求項１に記載の電気泳動表示装置の駆動方法。
【請求項３】
前記階調レベル変更ステップは、
前記表示部に表示している前記画像データの輝度に基づいて、前記第１の補正値と前記第２の補正値とのうちの一方を選択して前記補正データとして用いる
ことを特徴とする請求項２に記載の電気泳動表示装置の駆動方法。
【請求項４】
前記第１の補正値は、前記表示部に前記第１の色を表示させた後、前記表示部に複数の階調レベルをそれぞれ表示させたときの反射率に基づいて生成され、
前記第２の補正値は、前記表示部に前記第２の色を表示させた後、前記表示部に複数の階調レベルをそれぞれ表示させたときの反射率に基づいて生成される
ことを特徴とする請求項２又は３に記載の電気泳動表示装置の駆動方法。
【請求項５】
前記階調レベル変更ステップの前に、前記表示部の全ての画素に、前記第１の色及び前記第２の色のうちの一方を表示させるステップを更に備える
ことを特徴とする請求項１乃至４の何れか一項に記載の電気泳動表示装置の駆動方法。
【請求項６】
第１の色の電気泳動粒子と第２の色の電気泳動粒子とを含む画素を複数有する表示部と、
画像データの階調レベルを、該階調レベルに対応する補正データに基づいて変更する階調レベル変更部と、
階調レベルが変更された前記画像データを、該画像データの所定領域ごとに、前記第１の色と前記第２の色とを組み合わせたディザリングパターンであって、変更された階調レベルに対応するものに変換するディザリング処理部と、
前記表示部が有する前記複数の画素について、前記ディザリングパターンに変換された前記画像データに基づいて、前記第１の色の電気泳動粒子と前記第２の色の電気泳動粒子とを駆動する表示部駆動部と、を備える
ことを特徴とする電気泳動表示装置。
【請求項７】
請求項６に記載の電気泳動表示装置を備える
ことを特徴とする電子機器。
【発明の詳細な説明】
【技術分野】
【０００１】
本発明に係るいくつかの態様は、電気泳動表示装置の駆動方法、電気泳動表示装置及び電子機器に関する。
【背景技術】
【０００２】
従来、電気泳動表示装置において、電気泳動分散液に、電気泳動粒子として、無機粒子と、当該無機粒子の色と異なる色に着色され、かつ、無機粒子の帯電特性と反対の帯電極性を有する樹脂粒子と、を含むようにしたもの（例えば特許文献１参照）が知られている。かかる電気泳動表示装置では、電気泳動粒子の凝集を防止することができ、優れた表示性能を実現している。
【先行技術文献】
【特許文献】
【０００３】
【特許文献１】特開２００７−１４８４４１号公報
【発明の概要】
【発明が解決しようとする課題】
【０００４】
一般に、電気泳動表示装置において所望の画素を駆動するときに、電気泳動粒子に作用させる電界は斜めに広がる性質があるため、隣接する画素の電気泳動粒子が斜めの電界によって電気泳動してしまい、所望の画素の外側ににじみ（ぼやけ）として表示されていた。
【０００５】
一方、オン、オフの２値による２値駆動方式で電気泳動表示装置の画素を駆動する場合、ディザリング処理によって複数の階調レベルを表示可能にしている。しかしながら、例えば、白色粒子と黒色粒子を電気泳動させて（駆動して）複数階調レベルの画像データを表示する場合、白色の（又は白色を所定割合以上含む）画像データを表示した後に黒色の（又は黒色を所定割合以上含む）画像データを表示すると、前述したにじみとディザリング処理とが相俟って、元の画像データの階調レベルよりも低い（黒い、暗い）階調レベルになる、という問題があった。同様に、黒色（又は黒色を所定割合以上含む画像）の画像データを表示した後に白色（又は白色を所定割合以上含む画像）の画像データを表示すると、前述したにじみとディザリング処理とが相俟って、元の画像データの階調レベルよりも高い（白い、明るい）階調レベルになる、という問題があった。
【０００６】
本発明のいくつかの態様は前述の問題に鑑みてなされたものであり、元の画像データに近似した画像データを表示することのできる電気泳動表示装置の駆動方法、電気泳動表示装置及び電子機器を提供することを目的の１つとする。
【課題を解決するための手段】
【０００７】
本発明に係る電気泳動表示装置の駆動方法は、第１の色の電気泳動粒子と第２の色の電気泳動粒子とを含む画素を複数有する表示部を備える電気泳動表示装置の駆動方法であって、画像データの階調レベルを、該階調レベルに対応する補正データに基づいて変更する階調レベル変更ステップと、階調レベルが変更された画像データを、該画像データの所定領域ごとに、第１の色と第２の色とを組み合わせたディザリングパターンであって、変更された階調レベルに対応するものに変換するディザリング処理ステップと、表示部が有する複数の画素について、前記ディザリングパターンに変換された画像データに基づいて、第１の色の電気泳動粒子と第２の色の電気泳動粒子とを駆動する表示部駆動ステップと、を備える。
【０００８】
かかる構成によれば、画像データの階調レベルが、該階調レベルに対応する補正データに基づいて変更され、画像データの所定領域ごとに、変更された階調レベルに対応するディザリングパターンに変換され、表示部が有する複数の画素について、ディザリングパターンに変換された画像データに基づいて、第１の色の電気泳動粒子と第２の色の電気泳動粒子とが駆動される。ここで、従来の電気泳動表示装置の駆動方法では、表示部のにじみ（ぼやけ）を考慮せずにディザリング処理を施すことにより、第１の色又は第２の色が濃く（強調されて）表示されていた。一方、本発明の電気泳動表示装置の駆動方法では、画像データの階調レベルを補正データに基づいて変更し、変更した階調レベルでディザリング処理を行い、ディザリング処理後の画像データに基づいて表示部の各画素を駆動するので、表示部の画素ににじみ（ぼやけ）が生じ、ディザリング処理を施すことよって第１の色又は第２の色が濃く（強調されて）表示される、という表示部のガンマ特性を考慮して、元の画像データの階調レベルを変更することにより、表示部のガンマ特性を補正することが可能となる。これにより、元の画像データに近似させた画像データを表示部に表示させることができ、電気泳動表示装置の表示品質を向上させることができる。
【０００９】
好ましくは、前述の補正データは、第１の色に基づく第１の補正値と、第２の色に基づく第２の補正値と、を有する。
【００１０】
かかる構成によれば、画像データの階調レベルを変更する際に用いる補正データは、第１の色に基づく第１の補正値と、第２の色に基づく第２の補正値と、を有する。ここで、第１の色、例えば白色を表示した後の表示部のガンマ特性と、第２の色、例えば黒色を表示した後の表示部のガンマ特性とは、異なる特性を示す。よって、例えば、現時点で表示部に表示している画像データの階調レベルに基づいて、白色を表示している（白色表示）か、黒色を表示している（黒色表示）か、を判定し、画像データの階調レベルを変更する際に、第１の補正値と第２の補正値とを使い分けることにより、表示部のガンマ特性を所望の特性に補正することが可能となる。
【００１１】
好ましくは、階調レベル変更ステップは、表示部に表示している画像データの輝度に基づいて、第１の補正値と第２の補正値とのうち一方を選択して前述の補正データとして用いる。
【００１２】
かかる構成によれば、表示部に表示している画像データの輝度に基づいて第１の補正値と第２補正値とのうち一方が選択され、選択された補正値に基づいて画像データの階調レベルが変更される。これにより、現時点で表示部に表示されている画像データの輝度によって、第１の補正値と第２の補正値とを使い分けることができるので、表示部のガンマ特性を、より正確に、所望の特性に補正することが可能となる。
【００１３】
好ましくは、第１の補正値は、表示部に第１の色を表示させた後、表示部に複数の階調レベルをそれぞれ表示させたときの反射率に基づいて生成され、第２の補正値は、表示部に第２の色を表示させた後、表示部に複数の階調レベルをそれぞれ表示させたときの反射率に基づいて生成される。
【００１４】
かかる構成によれば、第１の補正値は、表示部に第１の色を表示させた後、表示部に複数の階調レベルをそれぞれ表示させたときの反射率に基づいて生成され、第２の補正値は、表示部に第２の色を表示させた後、表示部に複数の階調レベルをそれぞれ表示させたときの反射率に基づいて生成される。これにより、実際に表示部に表示させた階調レベルの反射率に基づいて第１の補正値及び第２の補正が生成されるので、表示部の画素ににじみ（ぼやけ）が生じ、ディザリング処理を施すことよって第１の色又は第２の色が濃く（強調されて）表示される、という表示部のガンマ特性を反映した第１の補正値及び第２の補正値を生成することができる。
【００１５】
好ましくは、階調レベル変更ステップの前に、表示部の全ての画素に、第１の色及び第２の色のうちの一方を表示させるステップを更に備える。
【００１６】
かかる構成によれば、階調レベル変更ステップの前に、表示部の全ての画素に、第１の色及び第２の色のうちの一方が表示される。これにより、画像データを表示する前に表示部に表示されている色が第１の色及び第２の色のうちの一方に特定されるので、補正対象となるガンマ特性は、第１の色を表示した後の表示部のガンマ特性であるか、第２の色を表示した後の表示部のガンマ特性であるか、を容易に判定することができる。
【００１７】
本発明に係る電気泳動表示装置は、第１の色の電気泳動粒子と第２の色の電気泳動粒子とを含む画素を複数有する表示部と、画像データの階調レベルを、該階調レベルに対応する補正データに基づいて変更する階調レベル変更部と、階調レベルが変更された画像データを、該画像データの所定領域ごとに、第１の色と第２の色とを組み合わせたディザリングパターンであって、変更された階調レベルに対応するものに変換するディザリング処理部と、表示部が有する複数の画素について、ディザリングパターンに変換された画像データに基づいて、第１の色の電気泳動粒子と第２の色の電気泳動粒子とを駆動する表示部駆動部と、を備える。
【００１８】
かかる構成によれば、画像データの階調レベルが、該階調レベルに対応する補正データに基づいて変更され、画像データの所定領域ごとに、変更された階調レベルに対応するディザリングパターンに変換され、表示部が有する複数の画素について、ディザリングパターンに変換された画像データに基づいて、第１の色の電気泳動粒子と、第２の色の電気泳動粒子とが駆動される。ここで、従来の電気泳動表示装置では、表示部のにじみ（ぼやけ）を考慮せずにディザリング処理を施すことにより、第１の色又は第２の色が濃く（強調されて）表示されていた。一方、本発明の電気泳動表示装置では、画像データの階調レベルを補正データに基づいて変更し、変更した階調レベルでディザリング処理を行い、ディザリング処理後の画素データに基づいて表示部の各画素を駆動するので、表示部の画素ににじみ（ぼやけ）が生じ、ディザリング処理を施すことよって第１の色又は第２の色が濃く（強調されて）表示される、という表示部のガンマ特性を考慮して、元の画像データの階調レベルを変更することにより、表示部のガンマ特性を補正することが可能となる。これにより、元の画像データに近似させた画像データを表示部に表示させることができ、表示品質を向上させることができる。
【００１９】
本発明に係る電子機器は、前述の電気泳動表示装置を備える。
【００２０】
かかる構成によれば、前述の電気泳動表示装置を備える。これにより、優れた表示品質を有する各種の電子機器を実現することができる。
【図面の簡単な説明】
【００２１】
【図１】本発明に係る電気泳動表示装置のの一例を示す概略構成図である。
【図２】図１に示した各画素回路の構成を説明する回路図である。
【図３】図１に示した表示部の部分断面図である。
【図４】図３に示したマイクロカプセルの断面模式図である。
【図５】図３及び図４に示したマイクロカプセルの動作を説明する模式図である。
【図６】図１に示した表示部においてにじみが生じる原因を説明する模式図である。
【図７】ディザリング処理におけるにじみを説明する概念図である。
【図８】従来の電気泳動表示装置において表示部に白表示した後のガンマ特性を説明するグラフである。
【図９】従来の電気泳動表示装置において表示部に黒表示した後のガンマ特性を説明するグラフである。
【図１０】元の画像データの一例を説明する図である。
【図１１】従来の電気泳動表示装置において表示部に白表示した後の画像データの一例を説明する図である。
【図１２】従来の電気泳動表示装置において表示部に黒表示した後の画像データの一例を説明する図である。
【図１３】図１に示したコントローラーの構成を説明するブロック図である。
【図１４】図１に示した表示部に画像データを表示する動作を説明するフローチャートである。
【図１５】白表示補正用ＬＵＴと黒表示補正用ＬＵＴとの生成方法を説明する図である。
【図１６】白表示補正用ＬＵＴの一例を説明する構成図である。
【図１７】黒表示補正用ＬＵＴの一例を説明する構成図である。
【図１８】図１に示した電気泳動表示装置において表示部に白表示した後の画像データの一例を説明する図である。
【図１９】図１に示した電気泳動表示装置において表示部に黒表示した後の画像データの一例を説明する図である。
【図２０】第２実施形態において表示部に画像データを表示する動作を説明するフローチャートである。
【図２１】本発明に係る電気泳動表示装置を備える腕時計を説明する図である。
【図２２】本発明に係る電気泳動表示装置を備える電子ペーパーを示す斜視図である。
【図２３】本発明に係る電気泳動表示装置を備える電子ノートを示す斜視図である。
【発明を実施するための形態】
【００２２】
以下、本発明の一実施形態について図面を参照しながら説明する。以下の図面の記載において、同一又は類似の部分には同一又は類似の符号で表している。但し、図面は模式的なものである。したがって、具体的な寸法などは以下の説明を照らし合わせて判断するべきものである。また、図面相互間においても互いの寸法の関係や比率が異なる部分が含まれていることは勿論である。なお、図面に示すＸ軸及びＹ軸は、互いに直交する座標軸であり、Ｙ軸はＸ軸に対して水平方向に直交する。また、以下の説明において、図面の上側を「上」、下側を「下」、左側を「左」、右側を「右」という。
【００２３】
＜電気泳動表示装置の駆動方法、電気泳動表示装置＞
（第１実施形態）
図１乃至図１９は、本発明に係る電気泳動表示装置の駆動方法、及び電気泳動表示装置の第１実施形態を説明するためのものである。図１は本発明に係る電気泳動表示装置の一例を示す概略構成図である。図１に示すように、電気泳動表示装置１は、コントローラー１０と、表示部２０と、走査線駆動回路３０と、データ線駆動回路４０と、電源回路５０とを備えている。
【００２４】
コントローラー１０は、走査線駆動回路３０、データ線駆動回路４０、及び電源回路５０の動作を制御するものである。コントローラー１０は、画像信号処理回路（図示省略）等を含んでおり、表示部２０に表示させる画像の画像信号、画像書き換え時にリセットするためのリセット信号、クロック信号やスタートパルス等のタイミング信号、等の各種信号を生成し、走査線駆動回路３０、データ線駆動回路４０、及び電源回路５０に出力している。
【００２５】
表示部２０は、略平面のＹ方向に沿って配列されたｍ本の走査線２１（走査線Ｙ１、Ｙ２、…、Ｙｍ）と、略平面のＸ方向に沿って配列されたｎ本のデータ線２２（データ線Ｘ１、Ｘ２、…、Ｘｎ）と、走査線２１とデータ線２２との各交点に配置される画素回路６０とを備えている。
【００２６】
走査線駆動回路３０は、表示部２０の各走査線Ｙ１、Ｙ２、…、Ｙｍに接続されている。また、走査線駆動回路３０は、コントローラー１０から入力されるタイミング信号に基づいて、各走査線Ｙ１、Ｙ２、…、Ｙｍに走査線信号をパルス的に順次供給している。
【００２７】
データ線駆動回路４０は、表示部２０の各データ線データ線Ｘ１、Ｘ２、…、Ｘｎと接続されている。また、データ線駆動回路４０は、コントローラー１０から入力されるタイミング信号に基づいて、データ線Ｘ１、Ｘ２、…、Ｘｎに画像信号を供給している。画像信号は、例えば５ボルトの高電位レベル（以下、ハイレベルという）、又は、例えば０ボルトの低電位レベル(以下、ローレベルという)の二値的なレベルをとる。
【００２８】
本実施形態における走査線駆動回路３０及びデータ線駆動回路４０は、本発明に係る電気泳動表示装置の「表示部駆動部」の一例に相当する。
【００２９】
電源回路５０は、高電位電源線５１、低電位電源線５２及び共通電位線５３に接続されている。また、電源回路５０は、高電位電源線５１に高電位ＶＨ（例えば１２〜１５ボルト）で一定の高電位電源電位Ｖｄｄを、低電位電源線５２に低電位ＶＬ（例えば０ボルト）で一定の低電位電源電圧Ｖｓｓを、共通電位線５３に共通電位Ｖｃｏｍを、それぞれ供給している。
【００３０】
図２は、図１に示した各画素回路の構成を説明する回路図である。図２に示すように、画素回路６０は、スイッチング用トランジスター６１と、メモリー回路６２と、画素電極６３と、共通電極６４と、電気泳動素子６５とを備えている。
【００３１】
スイッチング用トランジスター６１は、Ｎ型トランジスターで構成されており、ゲートが走査線２１に、ソースがデータ線２２に、ドレインがメモリー回路６２の入力端子Ｎ８に、それぞれ接続されている。また、スイッチング用トランジスター６１は、データ線駆動回路４０からデータ線２２を介して供給される画像信号を、走査線駆動回路３０から走査線２１を介して供給される走査信号に応じたタイミングで、メモリー回路６２の入力端子Ｎ８に出力している。
【００３２】
メモリー回路６２は、インバーター回路６２ａ，６２ｂを有しており、ＳＲＡＭ（Static Random Access Memory）として構成されている。
【００３３】
インバーター回路６２ａ，６２ｂは、互いの入力端子に他方の出力端子が接続されたループ構造を有している。すなわち、インバーター回路６２ａの入力端子とインバーター回路６２ｂの出力端子とが接続され、インバーター回路６２ｂの入力端子とインバーター回路６２ａの出力端子とが接続されている。また、インバーター回路６２ａの入力端子はメモリー回路６２の入力端子Ｎ８として構成され、インバーター回路６２ａの出力端子はメモリー回路６２の出力端子Ｎ９として構成されている。
【００３４】
インバーター回路６２ａは、Ｎ型トランジスター６２ａ１と、Ｐ型トランジスター６２ａ２とを備えている。Ｎ型トランジスター６２ａ１及びＰ型トランジスター６２ａ２のゲートは、メモリー回路６２の入力端子Ｎ８に接続されている。Ｎ型トランジスター６２ａ１のソースは低電位電源線５２に接続され、Ｐ型トランジスター６２ａ２のソースは高電位電源線５１に接続されている。Ｎ型トランジスター６２ａ１及びＰ型トランジスター６２ａ２のドレインは、メモリー回路６２の出力端子Ｎ９に接続されている。
【００３５】
インバーター回路６２ｂは、Ｎ型トランジスター６２ｂ１と、Ｐ型トランジスター６２ｂ２とを備えている。Ｎ型トランジスター６２ｂ１及びＰ型トランジスター６２ｂ２のゲートは、メモリー回路６２の出力端子Ｎ９に接続されている。Ｎ型トランジスター６２ｂ１のソースは低電位電源線５２に接続され、Ｐ型トランジスター６２ｂ２のソースは高電位電源線５１に接続されている。Ｎ型トランジスター６２ｂ１及びＰ型トランジスター６２ｂ２のドレインは、メモリー回路６２の入力端子Ｎ８に接続されている。
【００３６】
このように構成されたメモリー回路６２は、入力端子Ｎ８にハイレベルの画像信号が入力されると、出力端子Ｎ９から低電位ＶＬを出力し、入力端子Ｎ８にローレベルの画像信号が入力されると、出力端子Ｎ９から高電位ＶＨを出力する。
【００３７】
画素電極６３は、メモリー回路６２の出力端子Ｎ８に接続されている。すなわち、画素電極６３には、メモリー回路６２に入力された画像信号に応じて、高電位ＶＨ又は低電位ＶＬがメモリー回路６２から供給されている。また、画素電極６３は、電気泳動素子６５を介して共通電極６４と互いに対向するように配置されている。
【００３８】
共通電極６４は、共通電位線５３に接続されており、共通電位Ｖｃｏｍが供給されている。
【００３９】
電気泳動素子６５は、画素電極６３と共通電極６４との間に配置されており、複数のマイクロカプセルから構成されている。
【００４０】
図３は、図１に示した表示部の部分断面図である。図３に示すように、表示部２０は、素子基板６６と対向基板６７との間に電気泳動素子６５が挟持される構成となっている。
【００４１】
素子基板６６は、例えばガラス又は樹脂等からなる基板である。図９では図示を省略したが、素子基板６６上には、前述のスイッチング用トランジスター６１、メモリー回路６２、走査線２１、データ線２２、高電位電源線５１、低電位電源線５２、及び共通電位線５３等を含む積層構造が形成されている。この積層構造の上層側に、複数の画素電極６３がマトリクス状に設けられている。
【００４２】
対向基板６７は、例えばガラス又は樹脂等からなる光透過性の基板である。対向基板６７における素子基板６６との対向面上には、複数の画素電極６３と対向して共通電極６４がベタ状に形成されている。共通電極６４は、例えばマグネシウム銀（ＭｇＡｇ）、インジウム・スズ酸化物（ＩＴＯ）、イリジウム・亜鉛酸化物（ＩＺＯ）等の光透過性の導電材料から形成されている。
【００４３】
電気泳動素子６５は、電気泳動粒子をそれぞれ含む複数のマイクロカプセル７０から構成されており、例えば樹脂等からなるバインダー６８及び接着層６９によって、素子基板６６と対向基板６７との間に固定されている。なお、本実施形態に係る電気泳動表示装置１では、電気泳動素子６５があらかじめバインダー６８によって対向基板６７側に固定されてなる電気泳動シートが、接着層６９によって、別途、画素電極６３等が形成された素子基板６６側に接着され、製造される。
【００４４】
マイクロカプセル７０は、画素電極６３及び共通電極６４間に挟持され、１つの画素回路６０内に、すなわち、１つの画素電極６３に対して、１つ又は複数配置されている。
【００４５】
図４は、図３に示したマイクロカプセルの断面模式図である。図４に示すように、マイクロカプセル７０は、被膜７１内に分散媒７２と、複数の白色粒子７３と、複数の黒色粒子７４とが封入されている。また、マイクロカプセル７０は、例えば５０マイクロメートル程度の粒径を有する球状に形成されている。
【００４６】
被膜７１は、マイクロカプセル７０の外殻として機能し、ポリメタクリル酸メチル、ポリメタクリル酸エチル等のアクリル樹脂、ユリア樹脂、アラビアゴム等の光透過性の高分子樹脂から形成されている。
【００４７】
分散媒７２は、白色粒子７３及び黒色粒子７４をマイクロカプセル７０内、すなわち、被膜７１内に分散させる媒質である。分散媒７２としては、水や、メタノール、エタノール、イソプロパノール、ブタノール、オクタノール、メチルセルソルブ等のアルコール系溶媒や、酢酸エチル、酢酸ブチル等の各種エステル類や、アセトン、メチルエチルケトン、メチルイソブチルケトン等のケトン類や、ペンタン、ヘキサン、オクタン等の脂肪族炭化水素や、シクロヘキサン、メチルシクロヘキサン等の脂環式炭化水素や、ベンゼン、トルエンや、キシレン、ヘキシルベンゼン、ヘブチルベンゼン、オクチルベンゼン、ノニルベンゼン、デシルベンゼン、ウンデシルベンゼン、ドデシルベンゼン、トリデシルベンゼン、テトラデシルベンゼン等の長鎖アルキル基を有するベンゼン類等の芳香族炭化水素や、塩化メチレン、クロロホルム、四塩化炭素、１，２−ジクロロエタン等のハロゲン化炭化水素や、カルボン酸塩やその他の油類を、単独で又は混合して用いることができる。また、分散媒７２には、界面活性剤を配合してもよい。
【００４８】
白色粒子７３は、例えば二酸化チタン、亜鉛華（酸化亜鉛）、三酸化アンチモン等の白色顔料からなる粒子、高分子、又はコロイドであり、例えば負に帯電されている。
【００４９】
黒色粒子７４は、例えばアニリンブラック、カーボンブラック等の黒色顔料からなる粒子、高分子、又はコロイドであり、例えば正に帯電されている。これにより、白色粒子７３及び黒色粒子７４は、画素電極６３と共通電極６４との間の電位差により発生する電場によって、分散媒７２中を移動することができる。
【００５０】
これらの顔料には、必要に応じ、電解質、界面活性剤、金属石鹸、樹脂、ゴム、油、ワニス、コンパウンド等の粒子からなる荷電制御剤、チタン系カップリング剤、アルミニウム系カップリング剤、シラン系カップリング剤等の分散剤、潤滑剤、安定化剤等を添加してもよい。
【００５１】
図５は、図３及び図４に示したマイクロカプセルの動作を説明する模式図である。図５（ａ）に示すように、画素電極６３と共通電極６４との間に、相対的に共通電極６４の電位が高くなるように電圧が印加された場合には、正に帯電された黒色粒子７４はクーロン力によってマイクロカプセル７０内で画素電極６３側に引き寄せられるとともに、負に帯電された白色粒子７３はクーロン力によってマイクロカプセル７０内で共通電極６４側に引き寄せられる。これにより、マイクロカプセル７０内の共通電極６６側、すなわち、表示面側に白色粒子７３が集められ、表示部２０の表示面には白色が表示される。
【００５２】
逆に、図５（ｂ）に示すように、画素電極６３と共通電極６４との間に、相対的に画素電極６３の電位が高くなるように電圧が印加された場合には、負に帯電された白色粒子７３はクーロン力によってマイクロカプセル７０内で画素電極６３側に引き寄せられるとともに、正に帯電された黒色粒子７４はクーロン力によってマイクロカプセル７０内で共通電極６４側に引き寄せられる。これにより、マイクロカプセル７０内の表示面側に黒色粒子７４が集められ、表示部２０の表示面には黒色が表示される。
【００５３】
なお、白色粒子７３、黒色粒子７４に用いる顔料を、例えば赤色、緑色、青色等の顔料に代えることにより、赤色、緑色、青色等を表示することができる。
【００５４】
次に、図６乃至図１２を参照しながら本発明が解決しようとする課題について詳細に説明する。
【００５５】
図６は、図１に示した表示部においてにじみが生じる原因を説明する模式図である。なお、図６では、説明の簡略化のために構成の一部を省略して描画している。図５（ｂ）に示したように表示部２０の表示面に黒色を表示する場合、図６に示すように、所望の画素に対応する画素電極６３Ａの電位が高く、共通電極６４の電位が低くなるように電圧を印加する。しかし、図６において矢印で示される電界は、斜めに広がる性質を有するので、画素電極６３Ａと共通電極６４との間のマイクロカプセル７０のみならず、画素電極６３Ａに隣接する画素電極６３Ｂ，６３Ｃと共通電極６４との間のマイクロカプセル７０にも電界が作用する。その結果、画素電極６３Ｂ，６３Ｃと共通電極６４との間のマイクロカプセル７０において、正に帯電された黒色粒子７４の一部が表示面側に移動し（電気泳動し）、所望の画素のみならず隣接する画素の一部にも黒色が表示されてしまう。これにより、表示部２０の黒色がにじんで（ぼやけて）見えていた。同様に、図５（ａ）に示したように表示部２０の表示面に白色を表示する場合も、表示部２０の白色がにじんで（ぼやけて）見えていた。
【００５６】
一方、データ線駆動回路４０がローレベル、ハイレベルの２値的なレベルによって各画素回路６０を駆動する、いわゆる２値駆動を行う場合、コントローラー１０は、画像データを、所定領域（以下、ブロックという）ごとに、黒色と白色とを組み合わせたディザリングパターンに変換するディザリング処理を行う。ディザリングパターンは、画像データに含まれる複数の階調レベルのそれぞれに対して用意しておく。例えば、画像データが２５６階調レベルである場合、各階調レベルに対応するディザリングパターンを１つずつ、合計２５６個用意する。コントローラー１０が画像データに対してディザリング処理を行うことにより、黒色と白色との２つの階調レベルしか表示できなかった表示部２０は、灰色などの中間の階調レベルを表示することが可能となり、３つ以上の複数の階調レベルの画像データを擬似的に表示することができる。
【００５７】
図７は、ディザリング処理におけるにじみを説明する概念図である。ディザリング処理では、図７（ａ）に示すように、黒色と白色との間の階調レベル（図７（ａ）において灰色）に対し、図７（ｂ）に示すように、当該階調レベルに対応するディザパターンに変換する。図７（ｂ）に示す例では、４つの画素回路６０ａ，６０ｂ，６０ｃ，６０ｄが１つのブロックを構成しており、画素回路６０ａ，６０ｄは「黒色」、画素回路６０ｂ，６０ｃは「白色」を表示する。しかし、表示部２０の各画素回路６０ａ，６０ｂ，６０ｃ，６０ｄは、一方の色を表示した後に他方の色を表示する場合に、前述のにじみ（ぼやけ）により他方の色がより強調される。すなわち、例えば、４つの画素回路６０ａ，６０ｂ，６０ｃ，６０ｄが全て「白色」を表示していた後に、図７（ｂ）に示すディザパターンを表示するよう各画素回路６０ａ，６０ｂ，６０ｃ，６０ｄを駆動すると、図７（ｃ）に示すように、画素回路６０ａ，６０ｄに隣接する画素回路６０ｂ，６０ｃに黒色にじみが生じる。その結果、本来のディザパターンによる階調レベルよりも、実際の階調レベルが黒い（濃い）階調レベルに見えてしまう。逆に、４つの画素回路６０ａ，６０ｂ，６０ｃ，６０ｄが全て「黒色」を表示していた後に、図７（ｂ）に示すディザパターンを表示するよう各画素回路６０ａ，６０ｂ，６０ｃ，６０ｄを駆動すると、画素回路６０ｂ，６０ｃに隣接する画素回路６０ａ，６０ｄに白色にじみが生じる。その結果、本来のディザパターンによる階調レベルよりも、実際の階調レベルが白い（濃い）階調レベルに見えてしまう。
【００５８】
図８は、従来の電気泳動表示装置において表示部に白表示した後のガンマ特性を説明するグラフであり、図９は、従来の電気泳動表示装置において表示部に黒表示した後のガンマ特性を説明するグラフである。なお、図８及び図９では、横軸は入力の（元の）階調レベルＶin、縦軸は出力（表示）の階調レベルＶoutであり、黒色を原点（ゼロ）として、階調レベルが上がるにつれて明度（明るさ）が上がって白色に近づくように設定している。図８に示すように、従来の電気泳動表示装置において、表示部の全体にわたって白色を表示（又は表示部の所定割合以上に白色を表示する場合含む。以下、これらをまとめて白表示という）した後のガンマ特性（ガンマグラフ）は、入力の階調レベルに対して表示部に表示される実際の階調レベルの明度が、低い（黒い、暗い）ものとなる。一方、図９に示すように、表示部の全体にわたって黒色を表示（又は表示部の所定割合以上に黒色を表示する場合含む。以下、これらをまとめて黒表示という）した後のガンマ特性（ガンマグラフ）は、元の階調レベルの明度に対して表示部に表示される実際の画像データの階調レベルの明度が、高い（白い、明るい）ものとなる。
【００５９】
図１０は元の画像データの一例を説明する図であり、図１１は、従来の電気泳動表示装置において表示部に白表示した後の画像データの一例を説明する図であり、図１２は、従来の電気泳動表示装置において表示部に黒表示した後の画像データの一例を説明する図である。具体的には、例えば、図１０に示すような元の画像データに対して、表示部に白表示した後の画像データは、図１１に示すように、黒色がにじんで（ぼやけて）、黒色が強調された画像データになってしまう。一方、表示部に黒表示した後の画像データは、図１２に示すように、白色がにじんで（ぼやけて）、白色が強調された画像データになってしまう。
【００６０】
例えば、表示部に白表示した後のガンマ特性について、ベキ関数モデルが適用可能であると仮定すると、出力の階調レベルＶoutは、以下の式（１）で表される。
Ｖout＝Ｖin＾γd  …（１）
但し「＾」（ハット）は冪乗を示す。
【００６１】
ここで、入力の階調レベルＶinが１００／２５５、γd＝２とすると、出力の階調レベルＶoutは、式（１）から
Ｖout＝（１００／２５５）＾２＝０．１５３
となる。つまり、入力の階調レベルＶinが「１００」の場合、出力の階調レベルＶoutは「３９」（＝０．１５３×２５５）となり、元の階調レベルよりかなり低い階調レベルで表示されることになる。
【００６２】
次に、図１３乃至図１９を参照しながら図１に示した電気泳動表示装置において表示部に画像データを表示する動作について説明する。
【００６３】
図１３は、図１に示したコントローラーの構成を説明するブロック図である。図１３に示すように、コントローラー１０は、マイクロプロセッサー１１と、メモリー１２と、インターフェイス１３と、を含んで構成される。
【００６４】
マイクロプロセッサー１１は、例えばＣＰＵ（Central Processing Unit）であり、入力された画像データに対して後述する各種処理を行い、前述の各種信号を生成して出力するためのものである。
【００６５】
メモリー１２は、例えば、ＲＡＭ（Random Access Memory）やＲＯＭ（Read Only Memory）などから構成され、画像データや後述するルックアップテーブル（以下、ＬＵＴという）を記憶するためのものである。メモリー１２に記憶するデータは、マイクロプロセッサー１１によって書き込まれ、又は読み出される。
【００６６】
インターフェイス１３は、外部の回路（図示省略）から送信されるデータをマイクロプロセッサー１１に入力するためのものであり、例えば、画像データＤがインターフェイス１３を介してマイクロプロセッサー１１に入力される。
【００６７】
図１４は、図１に示した表示部に画像データを表示する動作を説明するフローチャートである。図１３に示すインターフェイス１３を介し、表示部２０に表示しようとする画像データＤがマイクロプロセッサー１１に入力されると、図１４に示すように、マイクロプロセッサー１１は、入力された画像データ（以下、Ｄinと表す）を表示部２０における画素回路６０の配列（マトリクス）に対応させて展開し、メモリー１２に書き込む（Ｓ１０１）。
【００６８】
次に、マイクロプロセッサー１１は、現時点で表示部２０に表示している画像データＤ（以下Ｄoutと表す）について、白表示か否かを判定する（Ｓ１０２）。白表示か否かの判定は、例えば、表示部２０の輝度に基づいて、輝度が所定値以上でれば白表示と判定し、所定値未満であれば白表示ではない、すなわち黒表示であると判定する。これにより、現時点で表示部２０に表示されている画像データＤoutの輝度によって、後述する白表示補正用ＬＵＴ１２１と黒表示補正用ＬＵＴ１２２とを使い分けることができる。
【００６９】
本実施形態では、画像データＤinが白表示か否かを判定したが、これに限定されず、例えば、画像データＤinが黒表示か否かを判定するようにしてもよい。
【００７０】
Ｓ１０２の判定の結果、表示部２０に表示している画像データＤoutが白表示であると判定した場合、マイクロプロセッサー１１は、メモリー１２から後述の白表示補正用ＬＵＴ１２１を読み出す（Ｓ１０３）。一方、Ｓ１０２の判定の結果、表示部２０に表示している画像データＤoutが黒表示であると判定した場合、マイクロプロセッサー１１は、メモリー１２から後述の黒表示補正用ＬＵＴ１２２を読み出す（Ｓ１０４）。
【００７１】
ここで、白色を表示した後の表示部２０のガンマ特性と、黒色を表示した後の表示部２０のガンマ特性とは、異なる特性を示す。よって、例えば、現時点で表示部２０に表示している画像データＤoutの階調レベルに基づいて、白色を表示している（白色表示）か、黒色を表示している（黒色表示）か、を判定し、画像データＤinの階調レベルを変更する際に、白表示補正用ＬＵＴ１２１と黒表示補正用ＬＵＴ１２２とを使い分けることにより、表示部２０のガンマ特性を所望の特性に補正することが可能となる。
【００７２】
図１５は、白表示補正用ＬＵＴと黒表示補正用ＬＵＴとの生成方法を説明する図である。なお、図１５では、表示部２０が９つの階調レベルを表示可能な場合を示している。メモリー１２に記憶される白表示補正用ＬＵＴ１２１と黒表示補正用ＬＵＴ１２２とは、例えば、電気泳動表示装置１の製造過程におけるテスト工程で、表示部２０に全ての階調レベルを表示し、表示された各階調レベルの反射率を測定して生成される。すなわち、図１５（ａ）に示すように、左側に示す表示部２０の全体にわたって白色を表示した後、右側に示す表示部２０の各所定領域に、表示可能な全ての階調レベルのそれぞれを表示する。そして、右側に示す表示部２０において、各所定領域に表示された階調レベルの反射率［％］を測定する。このとき、各階調レベルは、前述のディザリング処理によって表現され、前述の黒にじみが生じているので、白表示の後における表示部２０のガンマ特性が測定される。同様に、図１５（ｂ）に示すように、左側に示す表示部２０の全体にわたって黒色を表示した後、右側に示す表示部２０の各所定領域に、表示可能な全ての階調レベルのそれぞれを表示する。そして、右側に示す表示部２０において、各所定領域に表示された階調レベルの反射率［％］を測定する。このとき、各階調レベルは、前述のディザリング処理によって表現され、前述の白にじみが生じているので、黒表示の後における表示部２０のガンマ特性が測定される。
【００７３】
次に、基準となる反射率として、例えば、各階調レベルに対応する紙を用意して当該紙の反射率をそれぞれ測定する。そして、階調レベルごとに、表示部２０に表示させたときの反射率と基準の反射率とを比較して、階調レベルを補正する補正値を生成する。
【００７４】
具体的には、例えば、表示部２０が０〜２５５の２５６階調レベルを表示可能な場合、階調レベルが「１００」において、表示部２０を実際に測定した実測反射率が４５％で、基準反射率が６０％であったとき、補正後の階調レベルＶhは、以下のように計算される。
Ｖh＝補正値×階調レベル＝｛（実測反射率）／（基準反射率）｝×（１００／２５５）＝｛（４５／１００）／（６０／１００）｝×（１００／２５５）＝７５／２５５
なお、ここでは、階調レベルを０以上１以下の値に正規化（規格化）している。
【００７５】
図１６は、白表示補正用ＬＵＴの一例を説明する構成図であり、図１７は、黒表示補正用ＬＵＴの一例を説明する構成図である。図１６に示すように、白表示補正用ＬＵＴ１２１は、階調レベル欄１２１ａと、補正後階調レベル欄１２１ｂとを含んで構成される。また、図１７に示すように、黒表示補正用ＬＵＴ１２２は、階調レベル欄１２２ａと、補正後階調レベル欄１２２ｂとを含んで構成される。白表示補正用ＬＵＴ１２１及び黒表示補正用ＬＵＴ１２２における１つのレコード（行）は、表示部２０が階調可能な階調レベルごとに登録される。つまり、表示部２０が２５６階調を表示可能である場合、白表示補正用ＬＵＴ１２１及び黒表示補正用ＬＵＴ１２２は、それぞれ２５６レコードが登録される。
階調レベル欄１２１ａ及び階調レベル欄１２２ａには、階調レベルの情報、例えば「０」から「２５５」の階調レベルのレベル値がそれぞれ格納される。補正後階調レベル欄１２１ｂ及び補正後階調レベル欄１２２ｂには、補正値により補正された階調レベルの情報、例えば「０」以上「１」以下に正規化（規格化）された補正後の階調レベルの数値がそれぞれ格納される。これにより、実際に表示部２０に表示させた階調レベルの反射率に基づいて白表示補正用ＬＵＴ１２１及び黒表示補正用ＬＵＴ１２２が生成されるので、表示部２０の画素ににじみ（ぼやけ）が生じ、ディザリング処理を施すことよって白色又は黒色が濃く（強調されて）表示される、という表示部２０のガンマ特性を反映した白表示補正用ＬＵＴ１２１及び黒表示補正用ＬＵＴ１２２を生成することができる。
【００７６】
図１４に示すＳ１０２及びＳ１０３の処理の後、マイクロプロセッサー１１は、読み出した白表示補正用ＬＵＴ１２１又は黒表示補正用ＬＵＴ１２２に基づいて、入力された画像データＤinの階調レベルを補正後階調レベル欄１２１ｂ又は補正後階調レベル欄１２２ｂの情報に変更する（Ｓ１０５）。
【００７７】
次に、マイクロプロセッサー１１は、変更後の画像データ（以下、Ｄhと表す）に対して、ブロックごとにディザリングパターンに変換するディザリング処理を行う（Ｓ１０６）。なお、ディザリング処理におけるディザリング法（ディザリングアルゴリズム）は、平均ディザリング法、ランダムディザリング法など複数存在するが、その種類を問わない。
【００７８】
次に、マイクロプロセッサー１１は、ディザリング処理後の画像データ（以下、Ｄhdと表す）を表示部２０における画素回路６０の配列（マトリクス）に対応させて展開し、メモリー１２に書き込む（Ｓ１０７）。そして、マイクロプロセッサー１１は、メモリー１２に書き出した展開後のデータを画像信号としてデータ線駆動回路４０に順次出力するとともに、走査線駆動回路３０及びデータ線駆動回路４０にタイミング信号を出力して、表示部２０の各画素回路６０を駆動し、ディザリング処理後の画像データＤhdを表示部２０に表示させる（Ｓ１０８）。
【００７９】
ここで、従来の電気泳動表示装置の駆動方法では、表示部のにじみ（ぼやけ）を考慮せずにディザリング処理を施すことにより、白色又は黒色が濃く（強調されて）表示されていた。一方、本発明の電気泳動表示装置１の駆動方法では、画像データＤinの階調レベルを補正値に基づいて変更し、変更した階調レベルでディザリング処理を行い、ディザリング処理後の画像データＤhdに基づいて表示部２０の各画素回路６０を駆動するので、表示部２０の画素ににじみ（ぼやけ）が生じ、ディザリング処理を施すことよって白色又は黒色が濃く（強調されて）表示される、という表示部２０のガンマ特性を考慮して、元の画像データＤinの階調レベルを変更することにより、表示部のガンマ特性を補正することが可能となる。
【００８０】
図１８は、図１に示した電気泳動表示装置において表示部に白表示した後の画像データの一例を説明する図であり、図１９は、図１に示した電気泳動表示装置において表示部に黒表示した後の画像データの一例を説明する図である。図１８に示すように、例えば白表示補正用ＬＵＴ１２１により階調レベルが補正され、表示部２０に表示される画像データＤhdは、図１１に示す従来表示していた画像データと比較して、黒色を抑制（低減）して表現されており、図１０に示す元の（入力の）画像データＤinにより近似したものとなる。また、図１９に示すように、例えば黒表示補正用ＬＵＴ１２２により階調レベルが補正され、表示部２０に表示される画像データＤhdは、図１２に示す従来表示していた画像データと比較して、白色を抑制（低減）して表現されており、図１０に示す元の（入力の）画像データＤinにより近似したものとなる。
【００８１】
なお、本実施形態では、コントローラー１０のマイクロプロセッサー１１が、画像データＤinの階調レベルを変更し、ディザリング処理を行うようにしたが、これに限定されず、走査線駆動回路３０及びデータ線駆動回路４０が行うようにしてもよい。かかる場合、コントローラー１０のメモリー１２に記憶される白表示補正用ＬＵＴ１２１及び黒表示補正用ＬＵＴ１２２は、走査線駆動回路３０及びデータ線駆動回路４０の内部のメモリーに記憶するようにしてもよい。
【００８２】
このように、本実施形態の電気泳動表示装置１の駆動方法によれば、画像データＤinの階調レベルが、該階調レベルに対応する補正値に基づいて変更され、画像データＤhの所定領域ごとに、変更された階調レベルに対応するディザリングパターンに変換され、表示部２０が有する複数の画素回路６０について、ディザリングパターンに変換された画像データＤhdに基づいて、白色粒子７３と黒色粒子７４とが駆動される。ここで、従来の電気泳動表示装置の駆動方法では、表示部のにじみ（ぼやけ）を考慮せずにディザリング処理を施すことにより、白色又は黒色が濃く（強調されて）表示されていた。一方、本発明の電気泳動表示装置１の駆動方法では、画像データＤinの階調レベルを補正値に基づいて変更し、変更した階調レベルでディザリング処理を行い、ディザリング処理後の画像データＤhdに基づいて表示部２０の各画素回路６０を駆動するので、表示部２０の画素ににじみ（ぼやけ）が生じ、ディザリング処理を施すことよって白色又は黒色が濃く（強調されて）表示される、という表示部２０のガンマ特性を考慮して、元の画像データＤinの階調レベルを変更することにより、表示部のガンマ特性を補正することが可能となる。これにより、元の画像データＤinに近似させた画像データＤhdを表示部２０に表示させることができ、電気泳動表示装置１の表示品質を向上させることができる。
【００８３】
また、本実施形態の電気泳動表示装置１の駆動方法によれば、画像データＤinの階調レベルを変更する際に用いる補正値は、白色に基づく白表示補正用ＬＵＴ１２１と、黒色に基づく黒表示補正用ＬＵＴ１２２と、を有する。ここで、白色を表示した後の表示部２０のガンマ特性と、黒色を表示した後の表示部２０のガンマ特性とは、異なる特性を示す。よって、例えば、現時点で表示部２０に表示している画像データＤoutの階調レベルに基づいて、白色を表示している（白色表示）か、黒色を表示している（黒色表示）か、を判定し、画像データＤinの階調レベルを変更する際に、白表示補正用ＬＵＴ１２１と黒表示補正用ＬＵＴ１２２とを使い分けることにより、表示部２０のガンマ特性を所望の特性に補正することが可能となる。
【００８４】
また、本実施形態の電気泳動表示装置１の駆動方法によれば、表示部２０に表示している画像データＤoutの輝度に基づいて白表示補正用ＬＵＴ１２１と黒表示補正用ＬＵＴ１２２とのうち一方が選択され、選択された補正値に基づいて画像データＤinの階調レベルが変更される。これにより、現時点で表示部２０に表示されている画像データＤoutの輝度によって、白表示補正用ＬＵＴ１２１と黒表示補正用ＬＵＴ１２２とを使い分けることができるので、表示部２０のガンマ特性を、より正確に、所望の特性に補正することが可能となる。
【００８５】
また、本実施形態の電気泳動表示装置１の駆動方法によれば、白表示補正用ＬＵＴ１２１は、表示部２０に白色を表示させた後、表示部２０に複数の階調レベルをそれぞれ表示させたときの反射率に基づいて生成され、黒表示補正用ＬＵＴ１２２は、表示部２０に黒色を表示させた後、表示部２０に複数の階調レベルをそれぞれ表示させたときの反射率に基づいて生成される。これにより、実際に表示部２０に表示させた階調レベルの反射率に基づいて白表示補正用ＬＵＴ１２１及び黒表示補正用ＬＵＴ１２２が生成されるので、表示部２０の画素ににじみ（ぼやけ）が生じ、ディザリング処理を施すことよって白色又は黒色が濃く（強調されて）表示される、という表示部２０のガンマ特性を反映した白表示補正用ＬＵＴ１２１及び黒表示補正用ＬＵＴ１２２を生成することができる。
【００８６】
このように、本実施形態の電気泳動表示装置１によれば、画像データＤinの階調レベルが、該階調レベルに対応する補正値に基づいて変更され、画像データＤhの所定領域ごとに、変更された階調レベルに対応するディザリングパターンに変換され、表示部２０が有する複数の画素回路６０について、ディザリングパターンに変換された画像データＤhdに基づいて、白色粒子７３と黒色粒子７４とが駆動される。ここで、従来の電気泳動表示装置では、表示部のにじみ（ぼやけ）を考慮せずにディザリング処理を施すことにより、白色又は黒色が濃く（強調されて）表示されていた。一方、本発明の電気泳動表示装置１では、画像データＤinの階調レベルを補正値に基づいて変更し、変更した階調レベルでディザリング処理を行い、ディザリング処理後の画像データＤhdに基づいて表示部２０の各画素回路６０を駆動するので、表示部２０の画素ににじみ（ぼやけ）が生じ、ディザリング処理を施すことよって白色又は黒色が濃く（強調されて）表示される、という表示部２０のガンマ特性を考慮して、元の画像データＤinの階調レベルを変更することにより、表示部のガンマ特性を補正することが可能となる。これにより、元の画像データＤinに近似させた画像データＤhdを表示部２０に表示させることができ、表示品質を向上させることができる。
【００８７】
（第２実施形態）
図２０は本発明に係る電気泳動表示装置の駆動方法、及び電気泳動表示装置の第２実施形態を説明する。なお、前述した第１実施形態と同一構成部分は同一符号をもって表し、その説明を省略する。また、図示しない構成部分は、前述した第１実施形態と同様とする。
【００８８】
第２実施形態と第１実施形態との相違点は、図１４に示すＳ１０２の判定処理に代えて、表示部２０の全体にわたって白色及び黒色の一方を表示させるようにしたことである。
【００８９】
図２０は、第２実施形態において表示部に画像データを表示する動作を説明するフローチャートである。図２０に示すように、図１３に示すマイクロプロセッサー１１は、Ｓ１０１の処理において入力された画像データＤinを図１に示す表示部２０における画素回路６０の配列（マトリクス）に対応させて展開してメモリー１２に書き込んだ後に、白表示の画像信号をデータ線駆動回路４０に順次出力するとともに、走査線駆動回路３０及びデータ線駆動回路４０にタイミング信号を出力して、表示部２０の全体にわたって白色を表示させる（Ｓ１０９）。これにより、画像データＤinを表示する前に表示部に表示されている色が白色に特定されるので、補正対象となるガンマ特性は、白表示した後の表示部２０のガンマ特性であることを容易に判定することができる。
【００９０】
次に、マイクロプロセッサー１１は、第１実施形態と同様に、Ｓ１０３の処理を行い、メモリー１２から白表示補正用ＬＵＴ１２１を読み出す。
【００９１】
本実施形態では、Ｓ１０９の処理において、マイクロプロセッサー１１は、表示部２０の全体にわたって白色を表示させるようにしたが、これに限定されず、表示部２０の全体にわたって黒色を表示させるようにしてもよい。この場合、マイクロプロセッサー１１は、次の処理としてＳ１０３の処理に代えて、図１４に示すＳ１０４の処理を行い、メモリー１２から黒表示補正用ＬＵＴ１２２を読み出す。
【００９２】
このように、本実施形態に係る電気泳動表示装置１の駆動方法によれば、Ｓ１０５の処理において画像データＤinの階調レベルを変更する前に、表示部２０の全体にわたって白色及び黒色のうちの一方が表示される。これにより、画像データＤinを表示する前に表示部２０に表示されている色が白色及び黒色のうちの一方に特定されるので、補正対象となるガンマ特性は、白表示した後の表示部２０のガンマ特性であるか、黒表示した後の表示部のガンマ特性であるか、を容易に判定することができる。
【００９３】
（電子機器）
次に、図２１乃至図２３を参照して本発明に係る電子機器について説明する。
【００９４】
図２１は、本発明に係る電気泳動表示装置を備える腕時計１００を説明する図である。図２１（ａ）に示す正面図において、腕時計１００は、時計ケース１０１と、時計ケース１０１に連結された一対のバンド４０２とを備えている。
【００９５】
時計ケース１０１の正面には、本発明に係る電気泳動表示装置１０２と、秒針１１１と、分針１１２と、時針１１３とが設けられている。また、時計ケース１０１の側面には、操作子としての竜頭１３１と、１つ又は複数の操作ボタン１３２とが設けられている。
【００９６】
図２１（ｂ）に示す側断面図において、時計ケース１０１の内部には収容部１０１Ａが設けられている。収容部１０１Ａには、電気泳動表示装置１と、ムーブメント１０３とが収容されている。収容部１０１Ａの一端側（時計正面側）には、ガラス又は樹脂からなる透明カバー１０４が設けられている。収容部１０１Ａの他端側（時計裏側）には、パッキン１０５を介して裏蓋１０６が螺合され、透明カバー１０４及び裏蓋１０６によって時計ケース１０１が密封されている。
【００９７】
ムーブメント１０３は、秒針１１１、分針１１２及び時針１１３からなるアナログ指針が連結された運針機構（図示省略）を有している。この運針機構が秒針１１１、分針１１２及び時針１１３を回転駆動し、設定された時刻を表示する時刻表示部として機能する。
【００９８】
電気泳動表示装置１０２は、ムーブメント１０３の時計正面側に配置され、腕時計１００の表示部を構成している。また、電気泳動表示装置１０２の中央部には、電気泳動表示装置１０２の表裏を貫通する貫通孔１０２Ａが形成されている。貫通孔１０２Ａにはムーブメント１０３の運針機構の秒車１１４、二番車１１５及び筒車１１６の各軸が挿入されている。各軸の先端には、秒針１１１、分針１１２及び時針１１３がそれぞれ取り付けられている。本実施形態では、電気泳動表示装置１０２の表示面は円形状に成形されているが、これに限定されず、例えば正八角形状、十六角形状等、他の形状に成形してもよい。
【００９９】
本発明に係る電気泳動表示装置は時計以外の電子機器にも適用することができる。
【０１００】
図２２は、本発明に係る電気泳動表示装置を備える電子ペーパー２００を示す斜視図である。図２２に示すように、電子ペーパー２００は、前述した本発明に係る電気泳動表示装置を表示部２０１として備えている。電子ペーパー２００は可撓性を有し、従来の紙と同様の質感及び柔軟性を有する書き換え可能なシートからなる本体２０２を備えて構成されている。
【０１０１】
図２３は、本発明に係る電気泳動表示装置を備える電子ノート３００を示す斜視図である。図２３に示すように、電子ノート３００は、図２３に示した電子ペーパー２００が複数枚束ねられ、カバー３０１に挟まれているものである。カバー３０１は、例えば外部の装置から送られる表示データを入力する表示データ入力手段（図示省略）を備えている。これにより、その表示データに応じて、電子ペーパーが束ねられた状態のまま、表示内容の変更や更新を行うことができる。
【０１０２】
このように、前述した腕時計１００、電子ペーパー２００、及び電子ノート３００によれば、本発明に係る電気泳動表示装置を備えているので、優れた表示品質を有する各種の電子機器を実現することができる。
【０１０３】
なお、本発明の構成は、前述の各実施形態にのみ限定されるものではなく、本発明の要旨を逸脱しない範囲内において種々変更を加えてもよい。
【符号の説明】
【０１０４】
１…電気泳動表示装置、１０…コントローラー、１１…マイクロプロセッサー、２０…表示部、３０…走査線駆動回路、４０…データ線駆動回路、６０…画素回路、７３…白色粒子、７４…黒色粒子１００…腕時計、１２１…白表示補正用ＬＵＴ、１２２…黒表示補正用ＬＵＴ、２００…電子ペーパー、３００…電子ノート、Ｄ…画像データ
【図１】
2011221325.tif 000003
【図２】
2011221325.tif 000004
【図３】
2011221325.tif 000005
【図４】
2011221325.tif 000006
【図５】
2011221325.tif 000007
【図６】
2011221325.tif 000008
【図８】
2011221325.tif 000009
【図９】
2011221325.tif 000010
【図１３】
2011221325.tif 000011
【図１４】
2011221325.tif 000012
【図１６】
2011221325.tif 000013
【図１７】
2011221325.tif 000014
【図２０】
2011221325.tif 000015
【図２１】
2011221325.tif 000016
【図２２】
2011221325.tif 000017
【図２３】
2011221325.tif 000018
【図７】
2011221325.tif 000019
【図１０】
2011221325.tif 000020
【図１１】
2011221325.tif 000021
【図１２】
2011221325.tif 000022
【図１５】
2011221325.tif 000023
【図１８】
2011221325.tif 000024
【図１９】
2011221325.tif 000025